(57)【要約】【課題】より一層容易に目薬を注すことのできる点眼補助具を提供することを目的とする。【解決手段】点眼瓶６９の胴体部６９ｆを支える胴体保持部１１と、点眼瓶の首上部分６９ａを被装するキャップ部２１を備え、これらは開閉自在に接続される。胴体保持部１１は、点眼瓶６９の肩部に当接する肩支持部１８と、点眼瓶６９の底部を支持する底支持部１６とを備えると共に、点眼瓶６９の胴回りサイズに対応した着脱自在のアジャスター１７を備える。キャップ部２１は、筒状であって、一方側が胴体保持部１１の肩支持部１８に開閉自在に接続される上側開口部２２で、他方側が瞼の周縁に沿った横長形状となった下側開口部２３である。胴体保持部１１の高さ方向軸心が、下側開口部２３の開口平面に対して傾斜したものである。【選択図】図２
2008295880.tif 000002
【特許請求の範囲】
【請求項１】
点眼瓶の胴体部を支える胴体保持部と、前記点眼瓶の首上部分を被装するキャップ部を備え、該キャップ部が前記胴体保持部に対して開閉自在に接続され、
前記胴体保持部は、前記点眼瓶の肩部に当接する肩支持部と、前記点眼瓶の底部を支持する底支持部とを備えると共に、該胴体保持部の内側に、前記点眼瓶の胴回りサイズに対応した着脱自在のアジャスターを備えたものであり、
前記キャップ部は、筒状であって、一方側が前記胴体保持部の肩支持部に開閉自在に接続される上側開口部であり、他方側が瞼の周縁に沿った横長形状となった下側開口部であり、
前記胴体保持部の高さ方向軸心が、前記下側開口部の開口平面に対して傾斜したものであることを特徴とする点眼補助具。
【請求項２】
前記キャップ部と前記胴体保持部が、ヒンジを支軸に開閉可能に接続されると共に、
前記胴体保持部は、開閉自在な高さ方向２つ割り構造で形成され、その閉状態に対して前記キャップ部が固定されるものである請求項１に記載の点眼補助具。
【請求項３】
前記胴体保持部は、内側に向けて突起を有する押圧レバーを備え、該押圧レバーの押圧によって前記突起が、収納された前記点眼瓶の胴体部を押圧するものである請求項１または２に記載の点眼補助具。
【請求項４】
前記底支持部が高さ方向にスライド可能に構成されたものである請求項１〜３のいずれか１項に記載の点眼補助具。
【請求項５】
前記キャップ部は、前記上側開口部と前記下側開口部の平面がユニバーサルジョイント構造で連結されたものである請求項１〜４のいずれか１項に記載の点眼補助具。
【発明の詳細な説明】
【技術分野】
【０００１】
本発明は、点眼瓶より目薬を注す際に用いる点眼補助具に関するものである。
【背景技術】
【０００２】
目薬を注すにあたっては、顔を上に向けて眼球上方に点眼瓶を位置させ、該点眼瓶から目薬液を滴下させて眼球に供給するという手法がよくとられている。しかし、点眼瓶を眼球上方の中空に正確に位置させることが難しいことから、目薬液を目とは違う所に滴下してしまい、何度もやり直さなければならないということが生じ、またその結果として目薬液を無駄にしてしまう。
【０００３】
そこで目薬を上手く注せない人の為に点眼補助具が提案されている（例えば特許文献１，２）。
【０００４】
図７は特許文献１に示される点眼補助具を表す図であり、（ａ）はこの点眼補助具７０の点眼瓶挿入側からの斜視図、（ｂ）は瞼周辺当接側からの斜視図、（ｃ）は底面図、（ｄ）は（ａ）及び（ｃ）に示すＤ−Ｄ線断面図であり、（ｅ）はこの点眼補助具７０に点眼瓶６９を取り付けた様子を表す縦断面図である。
【０００５】
この点眼補助具７０は全体がカップ状となっており、下側開口部７１と上側開口部７６が貫通して形成されている。この上側開口部７６は、カップ底から下側開口部７１に向かって垂れ下がる点眼瓶首部挿着座７２を備えており、該挿着座７２の内面は階段状となって、下側（眼球側）に向かって内径が徐々に小さくなっている。尚この点眼補助具７０の胴部分（カップ状の側面部分）７４における長手側の側壁中央部には窪み７３が形成されており、また胴部分７４内側からは挿着座７２と架設する連結リブ７５が設けられている。
【０００６】
図８の（ａ）は特許文献２に示される点眼補助具８０を示す斜視図であり、（ｂ）はこの点眼補助具８０に点眼瓶６９を取り付けた様子を表す縦断面図である。
【０００７】
この点眼補助具８０は、左右の側板８１，８２に連結板８３を架設した構造となっており、連結板８３には凹部８４が形成されて、点眼瓶６９の細くなった頚部６９ｅを装嵌できるようになっている。側板８１，８２の一方端側には、点眼瓶６９の底部６９ｂを支持する底支持部８１ｂ，８２ｂが形成されている。
【０００８】
上記の如く点眼補助具によれば、点眼を容易に行うことができる。
【特許文献１】特開２００２−３６０６６０号公報
【特許文献２】実開平５−１８５３４号公報
【発明の開示】
【発明が解決しようとする課題】
【０００９】
ところで、点眼は例えば白内障の手術後に必要であるところ、殊に手の不自由な老人等においては、小さな点眼瓶を摘むように把持したり、手を上に上げたりすることが困難な場合がある。従って多少手が不自由であっても目薬を容易に注すことのできる点眼補助具が求められている。
【００１０】
そこで本発明においては、より一層容易に目薬を注すことのできる点眼補助具を提供することを目的とする。
【課題を解決するための手段】
【００１１】
本発明に係る点眼補助具は、点眼瓶の胴体部を支える胴体保持部と、前記点眼瓶の首上部分を被装するキャップ部を備え、該キャップ部が前記胴体保持部に対して開閉自在に接続されたものであり、前記胴体保持部が、前記点眼瓶の肩部に当接する肩支持部と、前記点眼瓶の底部を支持する底支持部とを備えると共に、該胴体保持部の内側に、前記点眼瓶の胴回りサイズに対応した着脱自在のアジャスターを備えたものであり、前記キャップ部が、筒状であって、一方側が前記胴体保持部の肩支持部に開閉自在に接続される上側開口部で、他方側が瞼の周縁に沿った横長形状となった下側開口部であり、前記胴体保持部の高さ方向軸心が、前記下側開口部の開口平面に対して傾斜したものであることを特徴とする。
【００１２】
本発明の点眼補助具に点眼瓶を装着したとき、点眼瓶は、その肩部が肩支持部に当接すると共に底部が底支持部に当接して支えられ、また胴回りがアジャスターによって支えられることとなり、斯様にして胴体保持部で点眼瓶の胴体部がしっかり保持される。また上記アジャスターは着脱自在であるので、使用する点眼瓶に適したサイズのアジャスターに取り替えることにより、様々な点眼瓶に対して適切にフィットさせて使用することができる。この様に点眼瓶が胴体保持部内に安定して保持され、使用者は、点眼瓶より一回り（或いはそれ以上）大きい胴体保持部を持って点眼することとなるので、掴み易く、点眼操作が容易に行える。
【００１３】
また上記キャップ部の下側開口部の開口平面に対して、胴体保持部の高さ方向軸心が傾斜しているので、点眼に際しての胴体保持部を持つ手を高く上げなくて済む。従って手が上げ辛い使用者にとっても点眼を容易に行うことができる。なお上記胴体保持部の高さ方向とは、点眼瓶を装着した際の点眼瓶の高さ方向（縦方向）のことである。
【００１４】
キャップ部の下側開口部の開口平面に対する胴体保持部の高さ方向軸心の傾斜角度（図１（ｃ）や図２に示すθ）としては、３０°〜７０°が好ましく、より好ましくは４０°〜６０°である。傾斜角度が大き過ぎると、点眼に際し、眼に対して胴体保持部を垂直近くに持ち上げる必要があり、点眼操作が差程容易にはならないからである。逆に傾斜角度が小さ過ぎると、胴体保持部が顔面に当接するようになり、点眼し辛くなるからである。なおキャップ部の下側開口部の開口平面が蛇行した平面の場合には、その蛇行をならしたフラットな平面を想定し、この平面と上記胴体保持部の高さ方向軸心とのなす角度を傾斜角度（θ）とする。
【００１５】
前記胴体保持部の傾斜の態様としては、上記キャップ部の下側開口部の長手方向に沿って傾斜させたものが好ましい。この態様の場合は、横長形状の下側開口部を瞼の周縁に当接したとき、例えば胴体保持部を目尻側に傾斜させた位置にでき、この場合、目尻側に手を位置させて胴体保持部を把持することになるので、点眼操作がし易い。
【００１６】
また本発明においては、前記キャップ部と前記胴体保持部が、ヒンジを支軸に開閉可能に接続されると共に、前記胴体保持部が、開閉自在な高さ方向２つ割り構造で形成され、その閉状態に対して前記キャップ部が固定されるものであることが好ましい。つまり胴体保持部に対してキャップ部を閉状態にすることにより、２分割の胴体保持部が閉状態を保つように構成されたものであることが好ましい。これにより、キャップ部の閉状態を保つ限り、点眼瓶の胴体部が胴体保持部によりしっかりと保持され、安定する。なおキャップ部の閉状態は、例えばキャップ部と胴体保持部に一対の凹部と凸部を設け、無理嵌め等による着脱自在の凹凸嵌合で固定する等の手法により、保つようにすると良い。
【００１７】
更に本発明において、前記胴体保持部が、内側に向けた突起を有する押圧レバーを備えたものであり、該押圧レバーの押圧によって前記突起が、収納された前記点眼瓶の胴体部を押圧する様に構成したものであることが好ましい。この押圧レバーを握るようにすることで、点眼瓶内の目薬を滴下でき、滴下操作が容易である。因みに小さな点眼瓶の場合に、これを点眼補助具なしで点眼するにあたっては、指先で摘むように押圧する必要があり、手の不自由な人にとっては困難を伴う場合があるが、上記の如く手全体で握るものであれば、比較的操作が容易であり、また弱い力で滴下が可能となる。
【００１８】
また本発明の点眼補助具においては、前記底支持部が高さ方向にスライド可能に構成されたものであることが好ましい。この様に底支持部がスライド可能であることにより、点眼瓶をその高さ方向にしっかりとフィットさせることができる。更に、様々な高さの点眼瓶に対応することができ、使用可能な点眼瓶の種類が広がる。
【００１９】
加えて本発明の点眼補助具において、前記キャップ部における前記上側開口部と前記下側開口部の平面がユニバーサルジョイント構造で連結されたものであることが好ましい。これにより、キャップ部の下側開口部の開口平面に対する胴体保持部の高さ方向軸心の傾斜角度や傾斜方向を、使用者の好みに変更することができ、より一層使用者にとって使用し易くなる。
【発明の効果】
【００２０】
本発明に係る点眼補助具によれば、点眼瓶をしっかりと安定して保持できて、目薬の滴下にあたっての点眼瓶押圧操作が容易である上、手を高く上げずに点眼することが可能であるので、手が少々不自由であっても容易に点眼操作を行い得る。
【発明を実施するための最良の形態】
【００２１】
以下、例を挙げて本発明をより具体的に説明するが、本発明はもとより下記例によって制限を受けるものではなく、前・後記の趣旨に適合し得る範囲で適当に変更を加えて実施することも勿論可能であり、それらはいずれも本発明の技術的範囲に包含される。
【００２２】
図１の（ｃ）は本発明の一実施形態に係る点眼補助具１０に点眼瓶６９を装着した様子を表す側面図であり、図１の（ａ），（ｂ）は点眼瓶６９を点眼補助具１０に装着する手順を説明するための側面図である。図２は図１（ｃ）の縦方向（高さ方向）断面図である。図４はこの点眼補助具１０を用いて点眼する様子を表す図である。図３は点眼瓶６９を点眼補助具１０に装着した状態で保管する様子を表す側面図である。
【００２３】
点眼補助具１０は、点眼瓶６９の胴体部６９ｆを覆う胴体保持部１１と、点眼瓶６９の首上部分６９ａを被装するキャップ部２１からなる。これら胴体保持部１１とキャップ部２１はヒンジ（保持部−キャップ用ヒンジ）２４を支軸に開閉可能（図１（ａ），（ｂ）に示す矢印Ｂ，Ｃ参照）に接続されている。
【００２４】
胴体保持部１１は、高さ方向（装着する点眼瓶６９の高さ方向）にちょうど２分割される様にして、保持本体部１２と保持蓋部１５により構成され、これらは底部分に設けられたヒンジ（保持部用ヒンジ）１９によって開閉可能（図１（ａ）に示す矢印Ａ，Ｇ参照）となっている。なお保持本体部１２と保持蓋部１５の当接部に凹凸嵌合構造（図示せず）が設けられ、閉状態が保持できるようになっている。また上記２分割のうちの保持本体部１２側に上記保持部−キャップ用ヒンジ２４を介して上記キャップ部２１が取り付けられている。
【００２５】
保持蓋部１５は蓋本体１３と押圧レバー１４から構成され、押圧レバー１４は蓋本体１３に対して軸ピン１４ｂを中心に揺動可能に構成されている。押圧レバー１４には、内側に向けた突起１４ａが形成されており、押圧レバー１４を矢印Ｅ方向（図１（ｃ），図２）に押すことによって、上記突起１４ａが胴体保持部１１内の点眼瓶６９の胴体部６９ｆを側面から押圧できる様になっている。また押圧レバー１４の背面には窪み１４ｃが形成されており、押圧レバー１４を手指で押圧する際に指が窪み１４ｃに引っ掛かり、押圧レバー１４の把持が安定するようになっている。
【００２６】
保持本体部１２及び保持蓋部１５におけるキャップ部側にはそれぞれ、点眼瓶６９の肩部６９ｄに当接する肩支持部１８が形成されている。またこの肩支持部１８には、点眼瓶６９の頚部６９ｅを装着可能な窪み１８ａが形成されている（図２）。保持本体部１２の底部側には、高さ方向にスライド可能な（図１（ａ），図２に示す矢印Ｆ参照）底支持部１６が設けられている。この底支持部１６を点眼瓶６９の長さ（高さ）に応じてスライドさせて（矢印Ｆ）点眼瓶６９を底部６９ｂから支持しつつ、点眼瓶６９の肩部６９ｄを上記肩支持部１８に当接させることで、点眼瓶６９を上下から挟むようにしっかりと支持できる。
【００２７】
なお底支持部１６は、図６の（ａ）に示す様に、台座３１の取付溝３６に装着されたものであり、底支持部１６に設けられた凸状バネ（図示せず）が、取付溝３６に形成された凹部３６ａに付勢するようにして嵌め込まれる。底支持部１６を矢印Ｆ方向にスライドさせ、所望の位置の凹部３６ａで凸状バネを嵌合させることにより、その位置に固定されることとなる。
【００２８】
また保持本体部１２の内側には点眼瓶６９の胴回りサイズに対応したアジャスター１７が設けられている。このアジャスター１７は、図５の（ａ）に示される様に、円柱状の点眼瓶胴体部６９ｆの側面にフィットする弧状の当接面１７ａを有しており、これによって点眼瓶６９が安定的に支持される。またアジャスター１７は着脱自在であり、点眼瓶６９の太さ（胴回りサイズ）に応じて複数種のアジャスター１７が準備され、太さの異なる点眼瓶６９に対応して取り替えることができる様になっている。
【００２９】
保持本体部１２と蓋本体１３には、これらの当接箇所の中程にそれぞれ窪み部１２ａ，１３ａが形作られており、これら窪み部１２ａ，１３ａが合わさったときに形成される窓部分から、内部の点眼瓶６９が見えるようになっている。従ってこの窓部分を通して点眼瓶６９の液量を視認することが可能である。
【００３０】
キャップ部２１は筒状のものであり、一方側の開口（上側開口部２２）が胴体保持部１１のキャップ側端２５（肩支持部１８のキャップ側端）に開閉自在に接続され（保持部−キャップ用ヒンジ２４を支軸に開閉（矢印Ｂ，Ｃ））、他方側の開口（下側開口部２３）が、点眼時に瞼の周縁に当接されることとなる。この下側開口部２３は瞼周縁に沿った横長形状となっており、下側開口部２３を瞼周縁に当接したときに、フィット感がある。なお上記瞼周縁に沿った形状とは、必ずしもピッタリと沿っている必要はなく、大凡沿った形状であれば足りる。
【００３１】
下側開口部２３の開口平面に対する胴体保持部１１の高さ方向軸心の傾斜角度θは５０°である。また胴体保持部１１の高さ方向軸心の傾斜方向は、下側開口部２３の長手方向に沿った方向である。これにより、下側開口部２３を瞼周縁に当接したとき、胴体保持部１１が眼から目尻側斜め上方に立つようになる（図４）。なお目頭側斜め上方に立つようにしても良い。
【００３２】
またキャップ部２１の上側開口部２２に第一雄側留め部材２６が突出して設けられると共に、胴体保持部１１の蓋本体１３におけるキャップ側端２５の近傍に、上記第一雄側留め部材２６に対応した第一雌側留め部材２７が形成されている。胴体保持部１１に対してキャップ部２１を閉状態としたとき（矢印Ｂ）、第一雄側留め部材２６が第一雌側留め部材２７を覆うように位置し、第一雌側留め部材２７に形成された凸部２７ａが、第一雄側留め部材２６に形成された凹部（図示せず）に嵌め込まれることで、キャップ部２１の閉状態が固定され、また保持蓋部１５（蓋本体１３）と保持本体部１２が開かないように固定される。なお上記凹部と凸部は対となっており、着脱自在な無理嵌めによる凹凸嵌合で閉状態が固定されることとなる。
【００３３】
加えてキャップ部２１における保持部−キャップ用ヒンジ２４の近傍に第二雄側留め部材２８が設けられると共に、胴体保持部１１の保持本体部１２における保持部−キャップ用ヒンジ２４の近傍に第二雌側留め部材２９が設けられている。第二雄側留め部材２８は茸状をしており、これを丁度嵌合できる茸状空洞が第二雌側留め部材２９が形成されている。そして胴体保持部１１に対してキャップ部２１を最も開けた状態のときに（図３（ｂ））、第二雄側留め部２８と第二雌側留め部材２９が着脱自在な無理嵌めによる凹凸嵌合で固定されることとなる。
【００３４】
次に上記点眼補助具１０の使用方法について述べる。
【００３５】
まず図１（ａ）に示すように、キャップ部２１及び保持蓋部１５を開け、蓋６８を外した点眼瓶６９を保持本体部１２に装着する。この際、点眼瓶６９に適したアジャスター１７を選択して取り付けておき、また底支持部１６をスライド（矢印Ｆ）させて、点眼瓶６９が胴体保持部１１にフィットするようにする。
【００３６】
次いで図１（ｂ）に示すように、保持本体部１２に対して保持蓋部１５を閉める（図１（ａ）の矢印Ａ）。続いて図１（ｃ）に示すように、胴体保持部１１に対してキャップ部２１を閉める（図１（ｂ）の矢印Ｂ）。このとき第一雄側留め部材２６の凹部と第一雌側留め部材２７の凸部２７ａによる嵌合によりキャップ部２１が固定され、容易に外れることがなく、閉状態が安定的に保持される。またキャップ部２１を閉めることによって保持本体部１２と保持蓋部１５の閉状態が固定される。
【００３７】
斯様にして点眼補助具１０に装着された点眼瓶６９は、その底部６９ｂと肩部６９ｄが底支持部１６と肩支持部１８によって挟まれるように支持されると共に、点眼瓶６９の胴部６９ｆがアジャスター１７によって保持されるので、胴体保持部１１に対して安定的に固定される（図１（ｃ）、図２）。
【００３８】
そして点眼に際して、図４に示すように、キャップ部２１の下側開口部２３を瞼の周囲に当接すると共に、目尻側の斜め上方に位置した胴体保持部１１を手で把持し、これを握る様にして押圧レバー１４を押圧する（矢印Ｅ）。すると、突起１４ａが点眼瓶６９の胴体部６９ｆを側面から押圧し、点眼瓶６９内の目薬が滴下口６９ｃから滴下されることとなる。尚この際、指が押圧レバー１４の窪み１４ｃに滑り込んで引っ掛かるようになるので、胴体保持部１１を把持する手が安定した状態で押圧可能となる。
【００３９】
この点眼操作にあたっては、上述の様に目尻側に手を位置させて胴体保持部１１を把持することになるので、手を高く上げなくて済み、操作がし易い。また点眼瓶を指先で摘むのではなく、手で大きく胴体保持部１１を把持することとなるので持ち易く、滴下に際しても、手で握る操作であるため、力の弱った使用者にとっても、容易に滴下することができる。なお胴体保持部１１を目頭側斜め上方に位置させても良い。特に右（或いは左）半身不随の使用者としては、一方の手でのみ操作することとなるので、一方の眼は目尻側から、他方の眼は目頭側からという使用法が推奨される。
【００４０】
次に点眼瓶６９を点眼補助具１０に装着した状態での保管について述べる。
【００４１】
保管にあたっては、胴体保持部１１に対してキャップ部２１を開け（矢印Ｃ）（図１（ｂ）または図３（ｂ））、点眼瓶６９に蓋６８を取り付ける。そして図３（ｂ）に示すようにキャップ部２１を開けた状態で保管しても良いし、或いは図３（ａ）に示すようにキャップ部２１を閉じた状態で保管しても良い。尚キャップ部２１を開けた状態での保管においては（図３（ｂ））、第二雄側留め部２８と第二雌側留め部材２９を嵌合させて開状態に固定すると良い。
【００４２】
なお上記実施形態では、点眼操作において、胴体保持部１１が目尻側（或いは目頭側）斜め上方に立つ様に構成したものを示したが、これに限るものではなく、例えば下側開口部２３における長手方向に対する垂直方向に向かって（頬側或いは額側に向かって）胴体保持部１１の高さ方向軸心が傾斜するよう構成にしても良い。この態様によれば、胴体保持部１１を頬側の位置で持って点眼操作を行ったり、額側の位置で持って点眼操作を行ったりすることができる。額側の位置で操作する場合としては、例えば介護者が被介護者に対して点眼する際に便利である。
【００４３】
更にキャップ部２１を上下に分けてこの上側開口部２２側と下側開口部２３側をユニバーサルジョイントで連結した構造としても良い。この構成によれば、キャップ部２１の下側開口部２３の開口平面に対する胴体保持部１１の高さ方向軸心の傾斜角度や傾斜方向を、適宜変更することができるので、使用者の好みに合わせることができ、使用者にとってより一層点眼操作がし易くなる。
【００４４】
次に上記アジャスターに関して他の態様例について述べる。
【００４５】
図５の（ｂ）〜（ｉ）はいずれも、アジャスターを示す斜視図である。上述の図５（ａ）のアジャスター１７は胴体部６９ｆが円筒状の点眼瓶６９に適したものであったが、図５（ｂ）に示すアジャスター３２は胴体部６９ｆが略直方体状の点眼瓶６９に対して適したものである。また図５（ｃ）に示すように上下２つの部材３３ａ，３３ｂに分かれたアジャスター３３であっても良い。更に図５の（ａ），（ｂ），（ｃ）に示すアジャスター１７，３２，３３の様に、点眼瓶６９の胴体部６９ｆをその一方側面から覆うように支持する形態のものに限らず、図５の（ｄ）に示すアジャスター３４の様に、開口部周縁３４ａ，３４ｂによって点眼瓶６９の胴体部６９ｆを周りから支持する形態のものであっても良い。更に図５の（ｈ）に示すアジャスター５７の様に、第１，第２の側面部材５１，５２によって点眼瓶６９の胴体部６９ｆを挟むようにして覆って支持するものであっても良い。
【００４６】
また図５の（ａ），（ｂ），（ｃ），（ｄ），（ｈ）のアジャスターでは、適用する点眼瓶６９の胴体部６９ｆの形が決められたものであるが、図５の（ｅ），（ｆ），（ｇ），（ｉ）に示すアジャスター３９，４５，４７，５８の様に、点眼瓶６９の胴体部６９ｆの形としては特に定められていないものであっても良い。
【００４７】
加えて図５の（ａ），（ｂ），（ｃ），（ｄ）に示すものでは、個々のアジャスター１７，３２，３３，３４について、適用する点眼瓶６９の胴回りサイズが決まったものであるが、図５の（ｅ），（ｆ），（ｇ），（ｈ），（ｉ）に示すアジャスター３９，４５，４７，５７，５８の様に、バネ３５の伸縮や、ネジ４３，５３，５５の締め具合によって、異なった胴回りサイズの点眼瓶６９に１つのアジャスターが適用できる様にしたものであっても良い。例えば図５の（ｆ），（ｇ），（ｉ）に示すものでは、ネジ４３，５５を締め進めることによって、ネジ先端の支持板４４（図５の（ｆ））やネジ先端部４３ａ，５５ａ（図５の（ｇ），（ｉ））が基板４２，５４から大きく突出することとなり、より小さなサイズの点眼瓶６９に適用できるようになっている。
【００４８】
次に底支持部の他の例について述べる。
【００４９】
図６の（ｂ）は底支持部４６及びそのスライド機構４１を示す斜視図である。スライド機構４１は座屈板４１ａ、４１ｂが座屈する、或いは真っ直ぐになることによって底支持部４６が高さ方向（矢印Ｆ）にスライドするものである。尚図６（ｂ）の例では２つ折りに座屈するものであるが、細かく蛇腹状に座屈する構成であっても良い。
【図面の簡単な説明】
【００５０】
【図１】（ａ），（ｂ）は本発明の一実施形態に係る点眼補助具に点眼瓶を装着する手順を説明するための側面図で、（ｃ）は装着した様子を表す側面図である。
【図２】図１（ｃ）に示す点眼瓶装着状態の点眼補助具の縦方向（高さ方向）断面図である。
【図３】本発明の一実施形態の点眼補助具に点眼瓶を装着した状態で保管する様子を表す側面図である。
【図４】本発明の点眼補助具を用いて点眼する様子を表す図である。
【図５】本発明の点眼補助具におけるアジャスターを表す斜視図である。
【図６】本発明の点眼補助具における底支持部を表す斜視図である。
【図７】（ａ），（ｂ）は従来の点眼補助具を示す斜視図、（ｃ）はこの点眼補助具の底面図、（ｄ）は（ａ）や（ｃ）に示すＤ−Ｄ線断面図、（ｅ）はこの点眼補助具に点眼瓶を取り付けた様子を表す縦断面図である。
【図８】（ａ）は他の従来の点眼補助具を示す斜視図で、（ｂ）はこの点眼補助具に点眼瓶を取り付けた様子を表す縦断面図である。
【符号の説明】
【００５１】
１０  点眼補助具
１１  胴体保持部
１２  保持本体部
１３  蓋本体
１４  押圧レバー
１４ａ  突起
１４ｂ  軸ピン
１５  保持蓋部
１６  底支持部
１７  アジャスター
１８  肩支持部
１９  保持部用ヒンジ
２１  キャップ部
２２  上側開口部
２３  下側開口部
２４  保持部−キャップ用ヒンジ
６９  点眼瓶
６９ｆ  胴体部
６９ａ  首上部分
【図１】
2008295880.tif 000003
【図２】
2008295880.tif 000004
【図３】
2008295880.tif 000005
【図４】
2008295880.tif 000006
【図５】
2008295880.tif 000007
【図６】
2008295880.tif 000008
【図７】
2008295880.tif 000009
【図８】
2008295880.tif 000010